(57)【要約】【課題】表示装置のバックライトの制御を効率的に行うことが可能な情報処理技術を提供する。【解決手段】ＣＰＵ１０１は、起動時に、ＲＯＭ１０３に記憶されたＯＳやＭａｉｎ  ＢＩＯＳをＤＲＡＭ１０２に読み出してこれらを実行し、この実行中に、１画面目のＭａｉｎ  Ｄｉｓｐｌａｙ５に対するＶＧＡ  ＢＩＯＳをＤＲＡＭ１０２に展開する。そして、ＣＰＵ１０１は、Ｍａｉｎ  ＢＩＯＳに含まれる処理命令に従ってテストを実行し、その後、１画面目に対して第１バックライト制御関連処理を実行する。その後、２画面目のＳｕｂ  Ｄｉｓｐｌａｙ６に対するＶＧＡ  ＢＩＯＳをＤＲＡＭ１０２に展開することなく、２画面目に対して第２バックライト制御関連処理を行う。【選択図】        図１
2010072454.tif 000002
【特許請求の範囲】
【請求項１】
バックライトを備える表示装置を制御する情報処理装置であって、
ＶＧＡ（Video Graphics Array）ＢＩＯＳ（Basic Input/Output System）を記憶する第１記憶手段と、
前記バックライトの点灯又は消灯を示す値を保持するレジスタの値を書き換えるための第１処理命令を記憶する第２記憶手段と、
前記表示装置を制御する手段であって、前記レジスタを有する表示制御手段と、
前記バックライトの点灯又は消灯を切り替える場合、前記ＶＧＡ  ＢＩＯＳを前記第１記憶手段から読み出すことなく、前記第２記憶手段に記憶された前記第１処理命令に従って、前記表示制御手段の有する前記レジスタの値を書き換える制御手段を備える
ことを特徴とする情報処理装置。
【請求項２】
複数の前記表示手段のそれぞれについて、前記表示手段を制御する前記表示制御手段を複数備え、
前記記憶手段は、各前記表示手段に各々対応するＶＧＡ  ＢＩＯＳを記憶し、
前記制御手段は、複数の前記表示手段のうち前記バックライトの点灯又は消灯を切り替える対象の前記表示手段を制御する前記表示制御手段のそれぞれについて、前記ＶＧＡ  ＢＩＯＳを前記第１記憶手段から読み出すことなく、前記第２記憶手段に記憶された前記第１処理命令に従って、前記表示制御手段の有する前記レジスタの値を各々書き換える
ことを特徴とする請求項１に記載の情報処理装置。
【請求項３】
前記制御手段は、
複数の前記表示手段のうち第１の前記表示手段に対応して前記第１記憶手段に記憶されたＶＧＡ  ＢＩＯＳを実行して第１の前記表示手段における表示機能を有効にする第１制御関連手段と、
複数の前記表示手段のうち第２の表示手段に対応して前記第１記憶手段に記憶されたＶＧＡ  ＢＩＯＳを読み出すことなく、前記第２記憶手段に記憶された前記第１処理命令に従って、前記第２の表示手段を制御する前記表示制御手段の有する前記レジスタの値を書き換えることにより、前記第２の表示手段の有する前記バックライトの点灯又は消灯を切り替える第２制御関連手段とを有する
ことを特徴とする請求項２に記載の情報処理装置。
【請求項４】
テストモードに移行する操作入力を受け付ける入力受付手段を更に備え、
前記制御手段は、前記入力受付手段がテストモードに移行する操作入力を受け付けた場合且つ前記バックライトの点灯又は消灯を切り替える場合、前記ＶＧＡ  ＢＩＯＳを前記第１記憶手段から読み出すことなく、前記第２記憶手段に記憶された前記第１処理命令に従って、前記表示制御手段の有する前記レジスタの値を書き換える
ことを特徴とする請求項１に記載の情報処理装置。
【請求項５】
前記制御手段は、前記入力受付手段がテストモードに移行する操作入力を受け付けた場合、テストを実行するテスト実行手段と、
前記テストの実行に応じて前記バックライトの点灯又は消灯を切り替える場合、前前記ＶＧＡ  ＢＩＯＳを前記第１記憶手段から読み出すことなく、前記第２記憶手段に記憶された前記第１処理命令に従って、前記表示制御手段の有する前記レジスタの値を書き換えるバックライト制御手段とを有する
ことを特徴とする請求項４に記載の情報処理装置。
【請求項６】
バックライトを備える表示装置を制御する情報処理装置であって、ＶＧＡ（Video Graphics Array）ＢＩＯＳ（Basic Input/Output System）を記憶する第１記憶手段と、前記バックライトの点灯又は消灯を示す値を保持するレジスタの値を書き換えるための処理命令を記憶する第２記憶手段とを備える情報処理装置の有するコンピュータを、
前記表示装置を制御する手段であって、前記バックライトの点灯又は消灯を示す値を保持するレジスタを有する表示制御手段と、
前記制御手段は、前記バックライトの点灯又は消灯を切り替える場合、前記ＶＧＡ  ＢＩＯＳを前記第１記憶手段から読み出すことなく、前記第２記憶手段に記憶された前記処理命令に従って、前記表示制御手段の有する前記レジスタの値を書き換える制御手段として機能させる
ことを特徴とする情報処理プログラム。
【発明の詳細な説明】
【技術分野】
【０００１】
本発明は、表示装置に備わるバックライトの制御を行う情報処理装置及び情報処理プログラムに関する。
【背景技術】
【０００２】
従来より、ＰＣ（Personal Computer)などの情報処理装置に接続される液晶などのディスプレイを制御する場合、ＶＧＡ  ＢＩＯＳなどのＢＩＯＳを利用する技術がある（例えば特許文献１参照）。ＶＧＡ  ＢＩＯＳには、ディスプレイの表示機能を制御するための命令であり、例えば、表示方式に対応して輝度を設定する処理に関する命令や、バックライトを制御する処理に関する命令などの表示仕様設定命令が含まれている。このような技術においては、ディスプレイのバックライトを制御する場合、情報処理装置は、起動の際に行うメモリの初期化時に、ＶＧＡ  ＢＩＯＳをメモリに読み出すことにより展開する。その後、情報処理装置は、メモリに展開されたＶＧＡ  ＢＩＯＳに含まれる表示仕様設定命令の中からバックライトの制御に関する処理命令を参照し、当該処理命令に従って、バックライトの制御に関連する処理を行っている。バックライトの制御に関連する処理とは、例えば、バックライトの点灯又は消灯を切り替えるためのレジスタの値を設定するバックライト制御処理などの処理である。また、画面として２つのディスプレイのバックライトを制御する場合、情報処理装置は、１画面目のディスプレイに対して上述の処理を行った後、２画面目のディスプレイに対するＶＧＡ  ＢＩＯＳをメモリに展開し、当該ＶＧＡ  ＢＩＯＳに従ってバックライト制御処理などの処理を行っている。
【０００３】
ところで、商品販売店などで商品の販売登録を行うために用いられるＰＯＳ（Point Of Sales）端末では、近年、各用途に応じたディスプレイの数が増えてきている。各用途に応じたディスプレイには、例えば、顧客用やオペレータ用やＰＯＰ広告用などがある。このようなＰＯＳ端末に対しては、商品の販売登録に異常が生じることがないように定期的にメンテナンスが行われている。このようなメンテナンスの際にテストを実行して、実行結果を１つのディスプレイに表示させることがある。この場合、１つのディスプレイにおいては表示機能を有効にすべく、バックライトを点灯させる必要があるが、その他の画面においてはバックライトを点灯する必要がない場合がある。ディスプレイのバックライトには寿命があるため、必要時以外はバックライトを点灯させない方が好ましい。また、テスト終了後にＰＯＳ端末を使用する際には通常通り複数のディスプレイのそれぞれにおいてバックライトを点灯させることが望まれる。
【０００４】
【特許文献１】特開２００６−４８１３１号公報
【発明の開示】
【発明が解決しようとする課題】
【０００５】
しかし、ディスプレイのバックライトを点灯させたり消灯させたりする場合、特許文献１の技術ではＶＧＡ  ＢＩＯＳのメモリへの展開やＶＧＡ  ＢＩＯＳに従ったバックライト制御処理などの処理を画面毎に行う必要があった。このため、バックライトの制御を効率的に行うことができず、ディスプレイが複数ある場合には特に、バックライトの制御を効率的に行うことが望まれていた。
【０００６】
本発明は、上記に鑑みてなされたものであって、表示装置のバックライトの制御を効率的に行うことが可能な情報処理装置及び情報処理プログラムを提供することを目的とする。
【課題を解決するための手段】
【０００７】
上述した課題を解決し、本発明は、バックライトを備える表示装置を制御する情報処理装置であって、ＶＧＡ（Video Graphics Array）ＢＩＯＳ（Basic Input/Output System）を記憶する第１記憶手段と、前記バックライトの点灯又は消灯を示す値を保持するレジスタの値を書き換えるための第１処理命令を記憶する第２記憶手段と、前記表示装置を制御する手段であって、前記レジスタを有する表示制御手段と、前記バックライトの点灯又は消灯を切り替える場合、前記ＶＧＡ  ＢＩＯＳを前記第１記憶手段から読み出すことなく、前記第２記憶手段に記憶された前記第１処理命令に従って、前記表示制御手段の有する前記レジスタの値を書き換える制御手段を備えることを特徴とする。
【０００８】
また、本発明は、情報処理プログラムであって、バックライトを備える表示装置を制御する情報処理装置であって、ＶＧＡ（Video Graphics Array）ＢＩＯＳ（Basic Input/Output System）を記憶する第１記憶手段と、前記バックライトの点灯又は消灯を示す値を保持するレジスタの値を書き換えるための処理命令を記憶する第２記憶手段とを備える情報処理装置の有するコンピュータを、前記表示装置を制御する手段であって、前記バックライトの点灯又は消灯を示す値を保持するレジスタを有する表示制御手段と、前記制御手段は、前記バックライトの点灯又は消灯を切り替える場合、前記ＶＧＡ  ＢＩＯＳを前記第１記憶手段から読み出すことなく、前記第２記憶手段に記憶された前記処理命令に従って、前記表示制御手段の有する前記レジスタの値を書き換える制御手段として機能させることを特徴とする。
【発明の効果】
【０００９】
本発明によれば、表示装置のバックライトの制御を効率的に行うことが可能になる。
【発明を実施するための最良の形態】
【００１０】
以下に添付図面を参照して、この発明にかかる情報処理装置及び情報処理プログラムの最良な実施の形態を詳細に説明する。
【００１１】
[実施の形態]
（１）構成
図１は、本実施の形態にかかる情報処理装置の一例として、ＰＯＳ端末の概観を例示する図である。ＰＯＳ端末１は、現金等を収容するためのドロワ２の上に載置されており、このドロワ２の引出し２ａの開閉を制御する。ＰＯＳ端末１には、正面側にオペレータが預かり金額などを入力するためのキーボード３とモードスイッチ４とが設けられていると共にオペレータ用のＭａｉｎ  Ｄｉｓｐｌａｙ５が接続され、背面側に客用のＳｕｂ  Ｄｉｓｐｌａｙ６が接続される。モードスイッチ４は、「登録」、「点検」、「精算」、「設定」などの各種業務モードを選択するためのスイッチで、鍵にて操作される。また、レシート及びジャーナルを印字するＲ／Ｊプリンタ７が内蔵されており、このプリンタ７によって印字されたレシートがＰＯＳ端末１の正面側に形成されたレシート発行口８から発行される。またＰＯＳ端末１には、商品の販売登録の際に商品ラベルに印刷されたバーコードを読取るためのコードスキャナ９が接続されている。Ｍａｉｎ  Ｄｉｓｐｌａｙ５及びＳｕｂ  Ｄｉｓｐｌａｙ６は、バックライトを備えた液晶カラーディスプレイ等で構成され、販売登録された商品の品名及び価格や、１取引の合計金額や釣銭額などを表示する。尚、本実施の形態においては、Ｍａｉｎ  Ｄｉｓｐｌａｙ５を１画面目とし、Ｓｕｂ  Ｄｉｓｐｌａｙ６を２画面目とする。このようなＰＯＳ端末１の構成については、例えば特開２０００−１９４９４０号公報に記載されているため、その詳細な説明を省略する。
【００１２】
図２は、ＰＯＳ端末１の内部構成について、本実施の形態にかかる部分を例示する図である。同図に示すようにＰＯＳ端末１は、ＣＰＵ（Central Processing Unit）１０１と、ＤＲＡＭ（Dynamic Random Access Memory）１０２と、ＲＯＭ（Read Only Memory）１０３と、ＨＤＤ（Hard Disk Drive）１０４と、Ｋ／Ｂ(key Board)  Ｃｏｎｔｏｌｌｅｒ１０５と、ＲＴＣ(Real Time Clock)１０６と、第１ＶＧＡ  Ｃｏｎｔｏｌｌｅｒ１０７と、第２ＶＧＡ  Ｃｏｎｔｏｌｌｅｒ１０８と、Ｉ／Ｏ（Input/Output）ポート１０９とを備える。ＰＯＳ端末１には、第１ＶＧＡ  Ｃｏｎｔｏｌｌｅｒ１０７を介してＭａｉｎ  Ｄｉｓｐｌａｙ５が接続され、第２ＶＧＡ  Ｃｏｎｔｏｌｌｅｒ１０８を介してＳｕｂ  Ｄｉｓｐｌａｙ６が接続される。ＲＯＭ１０３には、ＤＯＳ（Disk Operating System）などのＯＳやＶＧＡ  ＢＩＯＳやＭａｉｎ  ＢＩＯＳなどの各種プログラムが記憶されている。Ｍａｉｎ  ＢＩＯＳには、テストを行うための処理命令や、バックライト制御処理に関する処理命令が含まれている。バックライト制御処理とは、上述の従来技術欄で説明したように、バックライトの点灯又は消灯を切り替えるためのレジスタの値を設定する処理である。本実施の形態においては、ＰＯＳ端末１の電源投入時にキーボード３において所定の操作入力が行われた場合に、テストモードに移行して、Ｓｕｂ  Ｄｉｓｐｌａｙ６のバックライトを消灯した後に、テストをＰＯＳ端末１は行うものとする。テストの内容自体は特に限定されない。ＶＧＡ  ＢＩＯＳについては、Ｍａｉｎ  Ｄｉｓｐｌａｙ５及びＳｕｂ  Ｄｉｓｐｌａｙ６の各ディスプレイに対応してＲＯＭ１０３に記憶されている。ＶＧＡ  ＢＩＯＳには、上述したように、表示方式に対応して、例えば、輝度を設定する処理に関する命令や、バックライトの制御に関連する処理に関する命令などの表示仕様設定命令が含まれている。バックライトの制御に関連する処理とは、バックライトの処理かの判定や、バックライト以外の処理を行うかの判定などの処理や、バックライト制御処理などである。ＨＤＤ１０４は、各種プログラムや各種データを記憶する。Ｋ／Ｂ  Ｃｏｎｔｏｌｌｅｒ１０５は、キーボード３において入力された操作に対応した信号を取込み、ＣＰＵ１０１に供給する。ＲＴＣ１０６は、現在時刻を計時する。Ｉ／Ｏポート１０９は、モードスイッチ４により選択されたモードを表す信号をＣＰＵ１０１に供給する。
【００１３】
第１ＶＧＡ  Ｃｏｎｔｏｌｌｅｒ１０７は、Ｍａｉｎ  Ｄｉｓｐｌａｙ５の駆動を制御し、ＣＰＵ１０１から供給される表示データに対応した文字等をＭａｉｎ  Ｄｉｓｐｌａｙ５に表示させる。また、第１ＶＧＡ  Ｃｏｎｔｏｌｌｅｒ１０７は、Ｍａｉｎ  Ｄｉｓｐｌａｙ５に備わるバックライトの点灯又は消灯を示す値を保持するレジスタ（バックライトレジスタという）を有する。即ち、このバックライトレジスタの値が所定の値に書き換えられて設定されることによって、Ｍａｉｎ  Ｄｉｓｐｌａｙ５に備わるバックライトを点灯させたり消灯させたりすることができる。第２ＶＧＡ  Ｃｏｎｔｏｌｌｅｒ１０８は、Ｓｕｂ  Ｄｉｓｐｌａｙ６の駆動を制御し、ＣＰＵ１０１から供給される表示データに対応した文字等をＳｕｂ  Ｄｉｓｐｌａｙ６に表示させる。また、第２ＶＧＡ  Ｃｏｎｔｏｌｌｅｒ１０８は、Ｓｕｂ  Ｄｉｓｐｌａｙ６に備わるバックライトの点灯又は消灯を示す値を保持するレジスタ（バックライトレジスタ）を有する。即ち、このバックライトレジスタの値が所定の値に書き換えられて設定されることによって、Ｓｕｂ  Ｄｉｓｐｌａｙ６に備わるバックライトを点灯させたり消灯させたりすることができる。
【００１４】
次に、ＣＰＵ１０１が、ＲＯＭ１０３やＨＤＤ１０４に記憶された各種プログラムを実行することによりＰＯＳ端末１において実現される本実施の形態に特有の機能について説明する。本実施の形態においては、テストモードに移行したときに行うテストの際に１画面目のバックライトの制御及び２画面目のバックライトの制御を行うものとする。１画面目については表示機能を有効にすべく、従来と同様にして、ＣＰＵ１０１は、ＶＧＡ  ＢＩＯＳに従って処理を行うが、２画面目については表示機能を有効にすることなく、バックライトの制御を行う。具体的には、ＣＰＵ１０１は、テストモードにおける起動時に、ＲＯＭ１０３に記憶されたＯＳやＭａｉｎ  ＢＩＯＳをＤＲＡＭ１０２に読み出してこれらを実行し、この実行中に、１画面目のＭａｉｎ  Ｄｉｓｐｌａｙ５に対するＶＧＡ  ＢＩＯＳをＤＲＡＭ１０２に読み出すことにより展開する。そして、ＣＰＵ１０１は、１画面目に対して第１バックライト制御関連処理を実行する。その後、ＣＰＵ１０１は、２画面目のＳｕｂ  Ｄｉｓｐｌａｙ６に対するＶＧＡ  ＢＩＯＳをＤＲＡＭ１０２に展開することなく、Ｍａｉｎ  ＢＩＯＳに含まれる、バックライト制御処理に関する処理命令に従って、２画面目に対して第２バックライト制御関連処理を行い、Ｓｕｂ  Ｄｉｓｐｌａｙ６のバックライトを消灯させる。そして、ＣＰＵ１０１は、Ｍａｉｎ  ＢＩＯＳに含まれる、テストを行うための処理命令に従ってテストを実行する。これらの処理の詳細については以下の動作欄で説明する。
【００１５】
（２）動作
次に、本実施の形態にかかるＰＯＳ端末１の行うバックライト制御処理の手順について図３を用いて説明する。本実施の形態においては上述したように、ＰＯＳ端末１の電源投入時にキーボード３において所定の操作入力が行われた場合に、テストモードに移行するものとする。そして、テストモードにおける起動時に、ＰＯＳ端末１のＣＰＵ１０１は、ＲＯＭ１０３に記憶されたＯＳやＭａｉｎ  ＢＩＯＳをＤＲＡＭ１０２に読み出してこれらを実行する（ステップＳ１）。この実行中に、ＣＰＵ１０１は、１画面目のＭａｉｎ  Ｄｉｓｐｌａｙ５に対するＶＧＡ  ＢＩＯＳをＤＲＡＭ１０２に展開する（ステップＳ１ａ）。そして、ＣＰＵ１０１は、その後、１画面目に対して第１バックライト制御関連処理を行う（ステップＳ２）。
【００１６】
図４は、第１バックライト制御関連処理の手順を示すフローチャートである。ＣＰＵ１０１は、まず、ディスプレイコントローラの切り替え処理を行う（ステップＳ２０）。即ち、ＣＰＵ１０１は、制御対象のディスプレイを制御するディスプレイコントローラを選択する。現段階では、制御対象のディスプレイは、Ｍａｉｎ  Ｄｉｓｐｌａｙ５であるから、ＣＰＵ１０１は、第１ＶＧＡ  Ｃｏｎｔｏｌｌｅｒ１０７を選択する。そして、ＣＰＵ１０１は、ステップＳ１ａでＤＲＡＭ１０２に展開したＶＧＡ  ＢＩＯＳに含まれる処理命令に従って、バックライトの処理かの判定や、バックライト以外の処理を行うかの判定などの処理を行う（ステップＳ２１）。その後、ＣＰＵ１０１は、バックライト制御処理を行う（ステップＳ２２）。具体的には、ＣＰＵ１０１は、ステップＳ１ａでＤＲＡＭ１０２に展開したＶＧＡ  ＢＩＯＳに含まれる、バックライトを制御する処理に関する命令に従って、バックライトの点灯又は消灯を切り替えるべく、第１ＶＧＡ  Ｃｏｎｔｏｌｌｅｒ１０７の有するバックライトレジスタの値を書き換える。後にテストを行いそのテスト結果をＭａｉｎ  Ｄｉｓｐｌａｙ５に表示させるため、ＣＰＵ１０１は、Ｍａｉｎ  Ｄｉｓｐｌａｙ５のバックライトを点灯するようバックライトレジスタの値を書き換える。書き換える値は、例えば、Ｍａｉｎ  ＢＩＯＳに予め設定されているとする。次いで、ＣＰＵ１０１は、ディスプレイコントローラの切り替え処理を行う（ステップＳ２３）。この段階では、ＣＰＵ１０１は、制御対象のディスプレイを制御するディスプレイコントローラとして、２画面目のＳｕｂ  Ｄｉｓｐｌａｙ６を制御する第２ＶＧＡ  Ｃｏｎｔｏｌｌｅｒ１０８を選択する。
【００１７】
図３の説明に戻る。その後、ＣＰＵ１０１は、２画面目に対して第２バックライト制御関連処理を行う（ステップＳ３）。図５は、第２バックライト制御関連処理の手順を示すフローチャートである。ＣＰＵ１０１は、バックライト制御処理を行う（ステップＳ３０）。具体的には、ＣＰＵ１０１は、Ｍａｉｎ  ＢＩＯＳに含まれる、バックライト制御処理に関する処理命令に従って、バックライトの点灯又は消灯を切り替えるべく、第２ＶＧＡ  Ｃｏｎｔｏｌｌｅｒ１０８の有するバックライトレジスタの値を書き換える。後にテストを行いそのテスト結果をＭａｉｎ  Ｄｉｓｐｌａｙ５に表示させるため、ＣＰＵ１０１は、Ｓｕｂ  Ｄｉｓｐｌａｙ６のバックライトを消灯するようバックライトレジスタの値を書き換える。次いで、ＣＰＵ１０１は、ディスプレイコントローラの切り替え処理を行う（ステップＳ３１）。ＣＰＵ１０１は、制御対象のディスプレイを制御するディスプレイコントローラとして、例えば、１画面目のＭａｉｎ  Ｄｉｓｐｌａｙ５を制御する第１ＶＧＡ  Ｃｏｎｔｏｌｌｅｒ１０７を選択する。その後、ＣＰＵ１０１は、Ｍａｉｎ  ＢＩＯＳに含まれる、テストを行うための処理命令に従ってテストを実行する。
【００１８】
以上のように、本実施の形態においては、ＣＰＵ１０１は、２画面目に対するＶＧＡ  ＢＩＯＳをＤＲＡＭ１０２に展開することなく、また、２画面目に対する第２バックライト制御関連処理において、１画面目に対する第１バックライト制御関連処理で行ったステップＳ２１の処理を行うことなく、２画面目に対するバックライトの制御を行うことができる。このような構成によれば、バックライトの制御を効率的に行うことができる。画面の数が増えた場合にはその効果は顕著である。
【００１９】
尚、１画面目については表示機能が有効であるため、ＣＰＵ１０１は、テストの実行後、その実行結果を１画面目に表示させるようにしても良い。
【００２０】
[変形例]
なお、本発明は前記実施形態そのままに限定されるものではなく、実施段階ではその要旨を逸脱しない範囲で構成要素を変形して具体化できる。また、前記実施形態に開示されている複数の構成要素の適宜な組み合わせにより、種々の発明を形成できる。例えば、実施形態に示される全構成要素から幾つかの構成要素を削除してもよい。さらに、異なる実施形態にわたる構成要素を適宜組み合わせてもよい。また、以下に例示するような種々の変形が可能である。
【００２１】
＜変形例１＞
上述した実施の形態において、ＰＯＳ端末１で実行される各種プログラムを、インターネット等のネットワークに接続されたコンピュータ上に格納し、ネットワーク経由でダウンロードさせることにより提供するように構成しても良い。また当該各種プログラムを、インストール可能な形式又は実行可能な形式のファイルでＣＤ−ＲＯＭ、フレキシブルディスク（ＦＤ）、ＣＤ−Ｒ、ＤＶＤ（Digital Versatile Disk）等のコンピュータで読み取り可能な記録媒体に記録して提供するように構成しても良い。
【００２２】
＜変形例２＞
上述した実施の形態においては、ＰＯＳ端末１に接続される表示装置はＭａｉｎ  Ｄｉｓｐｌａｙ５及びＳｕｂ  Ｄｉｓｐｌａｙ６の２つであり画面数を２つとしたが、これに限らず、３つ以上の表示装置が接続される構成であっても良い。このような構成において、３画面目以降のバックライトを制御する場合、ＣＰＵ１０１は、ステップＳ３で２画面目に対する第２バックライト制御関連処理の後、３画面目以降の各画面に対してステップＳ３と同様の第２バックライト制御関連処理を各々行う。即ち、ＣＰＵ１０１は、ステップＳ３で２画面目に対する第２バックライト制御関連処理において、ステップＳ３１では、３画面目に対応するディスプレイコントローラに切り替えて、３画面目に対してステップＳ３と同様の第２バックライト制御関連処理を行う。この３画面目に対する第２バックライト制御関連処理では、ＣＰＵ１０１は、ステップＳ３０で３画面目に対するバックライト制御処理を行い、次に、４画面目のバックライトを制御する場合には、ステップＳ３１では４画面目に対応するディスプレイコントローラに切り替える。そして、ＣＰＵ１０１は、４画面目に対してステップＳ３と同様の第２バックライト制御関連処理を行えば良い。このように、複数の画面のバックライトを制御する場合には、ＣＰＵ１０１は、制御対象の画面を制御するディスプレイコントローラを切り替えながら第２バックライト制御関連処理を繰り返し行うようにすれば良い。
【００２３】
このような構成によれば、情報処理装置に接続される表示装置が複数あり、その数が増えたとしても、バックライトの制御を効率的に行うことができる。
【００２４】
また、上述の実施の形態においては、１つの表示装置に対して画面が１つであるように取り扱ったが、１つの表示装置において複数の画面を備え、画面毎にバックライトの制御が可能であり且つ各画面の表示機能が各画面に対応するＶＧＡ  ＢＩＯＳにより制御されるように構成しても良い。この場合に、本実施の形態で説明したように、各画面のバックライトを制御するようにしても良い。
【００２５】
＜変形例３＞
上述した実施の形態においては、１画面目については、ステップＳ１ａでＶＧＡ  ＢＩＯＳをメモリに展開し、ステップＳ２ではステップＳ２１の処理を行うようにした。しかし、１画面目についても文字等を表示させる必要がなく、バックライトの制御のみを行いたい場合には、ステップＳ１ａの処理を行わず、ステップＳ２でもステップＳ２１の処理を行わないようにしても良い。このような構成によれば、１画面目のバックライトの制御についても効率的に行うことができる。
【００２６】
＜変形例４＞
上述した実施の形態においては、情報処理装置の例として、ＰＯＳ端末について説明したが、表示装置と接続されるものであれば情報処理装置は、例えば、ＰＣであっても良いし、携帯情報端末であっても良い。
【００２７】
＜変形例５＞
上述した実施の形態においては、２画面目に対する第２バックライト制御関連処理は、ステップＳ２の１画面目に対する第１バックライト制御関連処理の後に行うようにしたが、ステップＳ１の起動処理の後に、ステップＳ２の処理を行うことなく、ステップＳ３の第２バックライト制御関連処理を行うようにしても良い。この場合、第２バックライト制御関連処理では、ステップＳ３０の前に、ステップＳ２０，Ｓ２３，Ｓ３１と同様のディスプレイコントローラ切替処理を行って、制御対象の制御対象のディスプレイを制御するディスプレイコントローラを選択することが好ましい。
【００２８】
＜変形例６＞
上述した実施の形態においては、バックライト制御処理に関する処理命令は、Ｍａｉｎ  ＢＩＯＳに含まれるものとしたが、これに限らず、ＶＧＡ  ＢＩＯＳと別にＲＯＭ１０３に記憶されるようにすれば良く、また、ＶＧＡ  ＢＩＯＳが記憶される記憶装置と異なる他の記憶装置、例えば、ＨＤＤ１０４に記憶されていても良い。
【図面の簡単な説明】
【００２９】
【図１】一実施の形態にかかるＰＯＳ端末の概観を例示する図である。
【図２】同実施の形態にかかるＰＯＳ端末の内部構成について、本実施の形態にかかる部分を例示する図である。
【図３】同実施の形態にかかるＰＯＳ端末の行うバックライト制御処理の手順フローチャートである。
【図４】同実施の形態にかかる第１バックライト制御関連処理の手順を示すフローチャートである。
【図５】同実施の形態にかかる第２バックライト制御関連処理の手順を示すフローチャートである。
【符号の説明】
【００３０】
１  ＰＯＳ端末
２  ドロワ
３  キーボード
４  モードスイッチ
５  Ｍａｉｎ  Ｄｉｓｐｌａｙ
６  Ｓｕｂ  Ｄｉｓｐｌａｙ
７  プリンタ
８  レシート発行口
９  ２次元コードスキャナ
１０１  ＣＰＵ
１０２  ＤＲＡＭ
１０３  ＲＯＭ
１０４  ＨＤＤ
１０５  ｋ／Ｂ  Ｃｏｎｔｒｏｌｌｅｒ
１０６  ＲＴＣ
１０７  第１ＶＧＡ  Ｃｏｎｔｒｏｌｌｅｒ
１０８  第２ＶＧＡ  Ｃｏｎｔｒｏｌｌｅｒ
【図１】
2010072454.tif 000003
【図２】
2010072454.tif 000004
【図３】
2010072454.tif 000005
【図４】
2010072454.tif 000006
【図５】
2010072454.tif 000007